(57)【要約】【課題】アイブロウ構造、リップグロス構造と口紅構造がペン形状なものに組合され、携帯性および使用性が極めて良いこと。【解決手段】アイブロウ構造と、リップグロス構造と、口紅構造と、を含む多機能付き化粧容器において、前記アイブロウ構造は、係り具が設けられた位置決め部を有し、前記リップグロス構造は、ネック部を有し、前記口紅構造は、略ロッド形状を呈し、その先端には前記リップグロス構造のネック部に組付可能な溝が設けてあり、前記溝から遠ざかった一端に収容空間が設けてあり、前記収容空間の内部には階段付き縁が設けてあり、前記口紅構造の収容空間に前記アイブロウ構造を挿入するときに、係り具が丁度前記口紅構造の階段付き縁と係合することを特徴とする多機能付き化粧容器。【選択図】図１
0003139555.tif 000002
【実用新案登録請求の範囲】
【請求項１】
アイブロウ構造と、リップグロス構造と、口紅構造と、を含む多機能付き化粧容器において、
前記アイブロウ構造は、係り具が設けられた位置決め部を有し、
前記リップグロス構造は、ネック部を有し、
前記口紅構造は、略ロッド形状を呈し、その先端には前記リップグロス構造のネック部に組付可能な溝が設けてあり、前記溝から遠ざかった一端に収容空間が設けてあり、前記収容空間の内部には階段付き縁が設けてあり、前記口紅構造の収容空間に前記アイブロウ構造を挿入するときに、係り具が丁度前記口紅構造の階段付き縁と係合することを特徴とする、
多機能付き化粧容器。
【請求項２】
前記アイブロウ構造は、位置決め部と、キャップと、ねじ軸と、を含み、前記ねじ軸の先端にはアイブロウ芯が組付けてあり、前記キャップに案内溝が設けてあり、前記ねじ軸の先端に突起が設けてあり、前記突起が前記案内溝に拘束され、前記位置決め部の内部の貫通孔には凸部が設けてあり、前記ねじ軸を前記貫通孔に貫入して、前記ねじ軸の螺旋に前記凸部を押付けた後に、前記位置決め部に前記キャップを固定可能であることを特徴とする、請求項１に記載の多機能付き化粧容器。
【請求項３】
前記リップグロス構造は、収容管と、リップグロスブロックと、プラグと、固定具と、を含み、前記固定具は、一体成形された、ネック部と、固定ロッドと、から構成されるものであり、前記固定ロッドの自由端には前記リップグロスブロックを固定可能であり、前記収容管の一端に螺旋が設けてあり、前記固定具のネック部の内部にも螺旋が設けてあり、前記プラグは、貫通孔を有し、前記収容管の窪み空間の開口を塞ぐことが可能であり、前記固定具のリップグロスブロックおよび固定ロッドは、前記プラグに開設された貫通孔を挿通して、前記収容管の窪み空間に進入して、前記固定具の螺旋を前記収容管の螺旋に螺入可能であり、前記口紅構造は、外蓋と、案内保持具と、移動具と、回転具と、底蓋と、を含み、前記外蓋に溝が設けてあり、前記溝から遠ざかった一端に収容空間が設けてあり、前記案内保持具の周面には案内溝が設けてあり、前記回転具の内部には貫通孔が開設してあり、前記貫通孔の内周面に螺旋が設けてあり、前記移動具にはピンが設けてあり、前記案内保持具と前記回転具とに前記移動具を組付けると、前記ピンが前記案内溝に挿入して前記回転具にある螺旋の溝に係止され、このとき、前記回転具の底部に設けられた底蓋も前記案内保持具に押付けるようになり、なお、前記外蓋の収容空間は、前記案内保持具を覆い、そして前記回転具の先端の階段形状チューブを覆い可能であることを特徴とする、請求項１に記載の多機能付き化粧容器。
【考案の詳細な説明】
【技術分野】
【０００１】
本考案は、化粧用品に係り、特に、アイブロウ、リップグロスと口紅を同時に有し、全体がペンの形状を呈し、アイブロウを伸縮して使用可能である多機能付き化粧容器に関するものである。
【背景技術】
【０００２】
目下、アイブロウ、リップグロスと口紅は女性の不可欠な化粧用品であるが、化粧の過程中に、使用すべきものが極めて多く、全ての化粧用品を全部に用意することが困難であり、且つそんなに多くの化粧用品から必要なものを探し出すことも極めて困難であり、だから、化粧用品の点数をできる限り低減することは良い方法である。
【考案の開示】
【考案が解決しようとする課題】
【０００３】
しかしながら、これは次のような欠点があった。
（１）従来のアイブロウは、長いので、携帯性が良くなく、なお、アイブロウをより短くすると、使用時にアイブロウを握ることが困難である。
【０００４】
（２）従来のアイブロウ、リップグロスと口紅は別々なものであり、だから、化粧用品の点数が多くなり、必要な化粧用品の探し出しは難しくなる。
【課題を解決するための手段】
【０００５】
上記欠点を解決するためになされた本願の考案は、アイブロウ構造と、リップグロス構造と、口紅構造と、を含む多機能付き化粧容器において、前記アイブロウ構造は、係り具が設けられた位置決め部を有し、前記リップグロス構造は、ネック部を有し、前記口紅構造は、略ロッド形状を呈し、その先端には前記リップグロス構造のネック部に組付可能な溝が設けてあり、前記溝から遠ざかった一端に収容空間が設けてあり、前記収容空間の内部には階段付き縁が設けてあり、前記口紅構造の収容空間に前記アイブロウ構造を挿入するときに、係り具が丁度前記口紅構造の階段付き縁と係合することを特徴とする多機能付き化粧容器であることを要旨としている。
【０００６】
本願の考案では、前記アイブロウ構造は、位置決め部と、キャップと、ねじ軸と、を含み、前記ねじ軸の先端にはアイブロウ芯が組付けてあり、前記キャップに案内溝が設けてあり、前記ねじ軸の先端に突起が設けてあり、前記突起が前記案内溝に拘束され、前記位置決め部の内部の貫通孔には凸部が設けてあり、前記ねじ軸を前記貫通孔に貫入して、前記ねじ軸の螺旋に前記凸部を押付けた後に、前記位置決め部に前記キャップを固定可能であることを特徴とする請求項１に記載の多機能付き化粧容器であることを要旨としている。
【０００７】
本願の考案では、前記リップグロス構造は、収容管と、リップグロスブロックと、プラグと、固定具と、を含み、前記固定具は、一体成形された、ネック部と、固定ロッドと、から構成されるものであり、前記固定ロッドの自由端には前記リップグロスブロックを固定可能であり、前記収容管の一端に螺旋が設けてあり、前記固定具のネック部の内部にも螺旋が設けてあり、前記プラグは、貫通孔を有し、前記収容管の窪み空間の開口を塞ぐことが可能であり、前記固定具のリップグロスブロックおよび固定ロッドは、前記プラグに開設された貫通孔を挿通して、前記収容管の窪み空間に進入して、前記固定具の螺旋を前記収容管の螺旋に螺入可能であり、前記口紅構造は、外蓋と、案内保持具と、移動具と、回転具と、底蓋と、を含み、前記外蓋に溝が設けてあり、前記溝から遠ざかった一端に収容空間が設けてあり、前記案内保持具の周面には案内溝が設けてあり、前記回転具の内部には貫通孔が開設してあり、前記貫通孔の内周面に螺旋が設けてあり、前記移動具にはピンが設けてあり、前記案内保持具と前記回転具とに前記移動具を組付けると、前記ピンが前記案内溝に挿入して前記回転具にある螺旋の溝に係止され、このとき、前記回転具の底部に設けられた底蓋も前記案内保持具に押付けるようになり、なお、前記外蓋の収容空間は、前記案内保持具を覆い、そして前記回転具の先端の階段形状チューブを覆い可能であることを特徴とする請求項１に記載の多機能付き化粧容器であることを要旨としている。
【考案の効果】
【０００８】
本考案の多機能付き化粧容器によれば、次のような効果がある。
（１）リップグロス構造と口紅構造とは握り部に容易に組合可能であり、これにより、アイブロウ構造は容易に眉を描くことが可能であり、又は口紅やリップグロスを選択して使用可能である。
【０００９】
（２）アイブロウ構造、リップグロス構造と口紅構造がペン形状なものに組合され、携帯性および使用性が極めて良い。
【考案を実施するための最良の形態】
【００１０】
以下、添付図面を参照して本考案の好適な実施の形態を詳細に説明する。
【００１１】
まず、図１を参照する。本考案の多機能付き化粧容器は、アイブロウ構造１０と、リップグロス構造２０と、口紅構造３０と、を含む。
【００１２】
前記アイブロウ構造１０は、位置決め部１１を有し、前記位置決め部１１により前記アイブロウ構造１０がキャップ１２と結合可能であり、なお、前記位置決め部に係り具１１１が設けてある。
【００１３】
前記リップグロス構造２０は、ネック部を有する。
【００１４】
前記口紅構造３０は、略ロッド形状を呈し、その先端には前記リップグロス構造２０のネック部２１１に組付可能な溝３１１が設けてあり、前記溝３１１から遠ざかった一端に収容空間３４５が設けてあり、前記収容空間３４５の内部には階段付き縁３５１が設けてあり、前記口紅構造３０の収容空間３４５に前記アイブロウ構造１０を挿入するときに、係り具１１１が丁度前記口紅構造３０の階段付き縁３５１と係合する。
【００１５】
このような構成によれば、本考案の多機能付き化粧容器のアイブロウ構造１０をロッド形状を呈する口紅構造３０の一端に固定可能であり、そうすると、リップグロス構造２０と口紅構造３０とは握り部に容易に組合可能であり、だから、本考案の多機能付き化粧容器の携帯性および使用性が極めて良く、アイブロウ、口紅、やリップグロスとして使用可能である。
【００１６】
また、図２、図５及び図６を参照する。当該アイブロウ構造１０は、位置決め部１１と、キャップ１２と、ねじ軸１３と、を含み、前記ねじ軸１３の先端にはアイブロウ芯１４が組付けてあり、前記キャップ１２に案内溝１２１が設けてあり、前記ねじ軸１３の先端に突起１３１が設けてあり、前記突起１３１が前記案内溝１２１に拘束され、図５に示すように、前記位置決め部１１の内部の貫通孔には凸部１１２が設けてあり、前記ねじ軸１３を前記貫通孔に貫入して、前記ねじ軸１３の螺旋１３２に前記凸部１１２を押付けた後に、前記位置決め部１１に前記キャップ１２を固定可能であり、そうすると、アイブロウ構造１０が組合される。
【００１７】
次に、本考案の多機能付き化粧容器のアイブロウ構造１０の使用状態を説明する。キャップ１２を回転すると位置決め部１１が回転するようになり、なお、位置決め部１１の凸部１１２がねじ軸１３の螺旋１３２に押付けており、且つねじ軸１３の突起１３１がキャップ１２の案内溝１２１に拘束されるので、キャップ１２の回転によりねじ軸１３が上昇し、又は降下するようになり、ねじ軸１３が上昇する場合には、アイブロウ芯１４がキャップ１２から突出するようになり、このとき、眉を描くことができる。
【００１８】
また、図３を参照する。当該リップグロス構造２０は、収容管２２と、リップグロスブロック２３と、プラグ２４と、固定具２１と、を含み、前記固定具２１は、一体成形された、ネック部２１１と、固定ロッド２１２と、から構成されるものであり、前記固定ロッド２１２の自由端には前記リップグロスブロック２３を固定可能であり、前記収容管２２の一端に螺旋２２１が設けてあり、前記固定具２１のネック部２１１の内部にも螺旋２１３が設けてあり、前記プラグ２４は、貫通孔２４１を有し、前記収容管２２の窪み空間２２２の開口を塞ぐことが可能であり、前記固定具２１のリップグロスブロック２３および固定ロッド２１２は、前記プラグ２４に開設された貫通孔２４１を挿通して、前記収容管２２の窪み空間２２２に進入して、前記固定具２１の螺旋２１３を前記収容管２２の螺旋２２１に螺入可能であり、そうすると、リップグロス構造２０が組合される。
【００１９】
次に、本考案の多機能付き化粧容器のリップグロス構造２０の使用状態を説明する。固定具２１を回転するだけで、螺旋２１３を収容管２２の螺旋２２１から脱出可能であり、そうすると、固定具２１及びリップグロスブロック２３を収容管２２から離脱可能であり、このとき、リップグロスブロック２３にて唇を着色することができる。
【００２０】
また、図４乃至図６を参照する。当該口紅構造３０は、外蓋３１と、案内保持具３２と、移動具３３と、回転具３４と、底蓋３５と、を含み、前記外蓋３１に溝３１１が設けてあり、前記溝３１１から遠ざかった一端に収容空間３１２が設けてあり、前記案内保持具３２の周面には案内溝３２１が設けてあり、前記回転具３４の内部には貫通孔３４１が開設してあり、前記貫通孔３４１の内周面に螺旋３４２が設けてあり、前記移動具３３にはピン３３１が設けてあり、前記案内保持具３２と前記回転具３４とに前記移動具３３を組付けると、前記ピン３３１が前記案内溝３２１に挿入して前記回転具３４にある螺旋３４２の溝に係止され、このとき、前記回転具３４の底部に設けられた底蓋３５も前記案内保持具３２に押付けるようになり、なお、前記外蓋３１の収容空間３１２は、前記案内保持具３２を覆い、そして前記回転具３４の先端の階段形状チューブ３４３を覆うことが可能であり、前記階段形状チューブ３４３に環状突起３４４が複数に設けてあり、前記環状突起３４４により前記外蓋３１と前記階段形状チューブ３４３との結合が更に安定になる。
【００２１】
次に、本考案の多機能付き化粧容器の口紅構造３０の使用状態を説明する。口紅構造３０の移動具３３の先端に口紅３６が設けてあり、口紅３６を使用しようとする場合には、案内保持具３２を回転するだけで、移動具３３にあるピン３３１は、案内保持具３２の案内溝３２１と、回転具３４の螺旋３４２との作用により、ピン３３１及び移動具３３が上昇し、又は降下するようになり、移動具３３が上昇する場合には、口紅３６が押されて案内保持具３２から突出するようになり、このとき、ユーザは口紅３６にて化粧することが可能である。
【００２２】
また、図５及び図６に示すように、前記位置決め部１１の係り具１１１により前記アイブロウ構造１０を口紅構造３０の底蓋３５の階段付き縁に安定に固定可能であり、なお、口紅構造３０の外蓋３１の溝３１１にリップグロス構造のネック部２１１を組付けると、全体がペン形状を呈するようになり、このような構成によれば、本考案の多機能付き化粧容器は、携帯性が極めて良く、そしてアイブロウ、リップグロスや口紅として使用することができる。
【図面の簡単な説明】
【００２３】
【図１】本考案の実施例の初歩的な分解斜視図である。
【図２】本考案の実施例のアイブロウ構造の分解斜視図である。
【図３】本考案の実施例のリップグロス構造の分解斜視図である。
【図４】本考案の実施例の口紅構造の分解斜視図である。
【図５】本考案の正面断面図である。
【図６】本考案の側面断面図である。
【符号の説明】
【００２４】
１０      アイブロウ構造   １１      位置決め部
１２      キャップ                       １３      ねじ軸
１４      アイブロウ芯                   ２０      リップグロス構造
２１      固定具                         ２２      収容管
２３      リップグロスブロック                    ２４      プラグ
３０      口紅構造                       ３１      外蓋
３２      案内保持具       ３３      移動具
３４      回転具                         ３５      底蓋
１１１    係り具                         １１２    突起
１２１    案内溝                         １３２    螺旋
１３１    凸部                                   ２１１    ネック部
２１２    固定ロッド       ２１３    螺旋
２２１    螺旋                                   ２２２    窪み空間
２４１    貫通孔                         ３１１    溝
３１２    収容空間                       ３２１    案内溝
３３１    ピン                                   ３４１    貫通孔
３４３    階段形状チューブ               ３４２    螺旋
３４５    収容空間                       ３５１    階段付き縁
【図１】
0003139555.tif 000003
【図２】
0003139555.tif 000004
【図３】
0003139555.tif 000005
【図４】
0003139555.tif 000006
【図５】
0003139555.tif 000007
【図６】
0003139555.tif 000008